(57)【要約】【課題】屋根板材同士の連結箇所から侵入する水を速やかに筐体本体外に排水し、かつ、この水が飛散することのない電気機器収納用箱の屋根構造を提供する。【解決手段】電気機器が収納される筐体本体１の屋根部を、複数の屋根板材を連結して形成した電気機器収納用箱の屋根構造であって、各屋根板材の連結箇所に沿って第１水切部２３を設けるとともに、筐体本体１には、扉部１０や側板部（正面板１１、側板１２）が取り付けられる開口部４０の周縁に第２水切部９を形成し、第１水切部２３には、その両端部のうち少なくとも一方に、第１水切部２３を伝う水滴を第２水切部９に導くガイド部材２８を備えた。【選択図】図６
2015216816.tif 000002
【特許請求の範囲】
【請求項１】
電気機器が収納される筐体本体の屋根部を、複数の屋根板材を連結して形成した電気機器収納用箱の屋根構造であって、
各屋根板材の連結箇所に沿って第１水切部を設けるとともに、
前記筐体本体には、扉部や側板部が取り付けられる開口部の周縁に第２水切部を形成し、
前記第１水切部には、その両端部のうち少なくとも一方に、該第１水切部を伝う水滴を前記第２水切部に導くガイド部材を備えたことを特徴とする電気機器収納用箱の屋根構造。
【請求項２】
前記ガイド部材は、前記第１水切部の端部から前記第２水切部に向けて傾斜させたことを特徴とする請求項１記載の電気機器収納用箱の屋根構造。
【請求項３】
前記ガイド部材は、略コ字状のガイド部と、該ガイド部の略コ字状の一方の腕部を、他方の腕部に対して延長させてなる側壁部とを備えたことを特徴とする請求項１または２記載の電気機器収納用箱の屋根構造。
【請求項４】
連結された一方の屋根板材に前記第１水切部を設け、
他方の屋根板材に前記第１水切部と平行に補強金具を設けるものとし、
該第１水切部と該補強金具とを当接させたことを特徴とする請求項１記載の電気機器収納用箱の屋根構造。
【請求項５】
前記屋根板材には、前記ガイド部材の下端が載置される搭載部を設けたことを特徴とする請求項１記載の電気機器収納用箱の屋根構造。
【発明の詳細な説明】
【技術分野】
【０００１】
本発明は、電気機器収納用箱の屋根構造に関するものである。
【背景技術】
【０００２】
電気機器を収納するための電気機器収納用箱は、複数の枠体を連結してなる筐体本体と、この筐体本体の天井側を遮光するための屋根部とを備えている。この屋根部は、筐体本体のサイズが小さい場合は１枚の屋根板材により構成されるが、筐体本体のサイズが大きい場合には、強度低下を防止するために、複数の屋根板材を連結することにより構成されることが通常である。しかしながら、屋根板材同士の連結箇所の隙間から雨水等が筐体本体内に侵入する恐れがあるため、例えば特許文献１のように、連結箇所に沿って水切部を設ける技術が開示されている。
【０００３】
ところが、このような従来の構造においては、水切部を伝う水は屋根板材の端部から自由落下して排水されるために、この水が飛散してしまい、例えば筐体本体の正面側に設けられた扉部を開閉した際に作業者が濡れてしまう等の問題があった。
【先行技術文献】
【特許文献】
【０００４】
【特許文献１】特開平１０−３２２８１２号公報
【発明の概要】
【発明が解決しようとする課題】
【０００５】
本発明の目的は前記した従来の問題点を解決し、屋根板材同士の連結箇所から侵入する水を速やかに筐体本体外に排水し、かつ、この水が飛散することのない電気機器収納用箱の屋根構造を提供することである。
【課題を解決するための手段】
【０００６】
上記課題を解決するためになされた本発明は、電気機器が収納される筐体本体の屋根部を、複数の屋根板材を連結して形成した電気機器収納用箱の屋根構造であって、各屋根板材の連結箇所に沿って第１水切部を設けるとともに、前記筐体本体には、扉部や側板部が取り付けられる開口部の周縁に第２水切部を形成し、前記第１水切部には、その両端部のうち少なくとも一方に、該第１水切部を伝う水滴を前記第２水切部に導くガイド部材を備えたことを特徴とするものである。
【０００７】
請求項２記載の発明は、請求項１記載の電気機器収納用箱の屋根構造において、前記ガイド部材は、前記第１水切部の端部から前記第２水切部に向けて傾斜させたことを特徴とするものである。
【０００８】
請求項３記載の発明は、請求項１または２記載の電気機器収納用箱の屋根構造において、前記ガイド部材は、略コ字状のガイド部と、該ガイド部の略コ字状の一方の腕部を、他方の腕部に対して延長させてなる側壁部とを備えたことを特徴とするものである。
【０００９】
請求項４記載の発明は、請求項１記載の電気機器収納用箱の屋根構造において、連結された一方の屋根板材に前記第１水切部を設け、他方の屋根板材に前記第１水切部と平行に補強金具を設けるものとし、該第１水切部と該補強金具とを当接させたことを特徴とするものである。
【００１０】
請求項５記載の発明は、請求項１記載の電気機器収納用箱の屋根構造において、前記屋根板材には、前記ガイド部材の下端が載置される搭載部を設けたことを特徴とするものである。
【発明の効果】
【００１１】
本発明に係る電気機器収納用箱の屋根構造は、各屋根板材の連結箇所に沿って第１水切部を設けるとともに、筐体本体には、扉部や側板部が取り付けられる開口部の周縁に第２水切部を形成し、第１水切部には、その両端部のうち少なくとも一方に、第１水切部を伝う水滴を第２水切部に導くガイド部材を備えた。これにより、第１水切部を伝う水は、ガイド部材によって第２水切部に導かれて筐体本体の下方へと排水されるため、この水が飛散することがない。
【００１２】
請求項２に係る発明は、ガイド部材は、第１水切部の端部から第２水切部に向けて傾斜させるものとした。これにより、第１水切部を伝う水をより確実に第２水切部に導くことができ、また傾斜させずに第２水切部へと水を自由落下させる場合と比較して、水の飛散を減少させることができる。
【００１３】
請求項３に係る発明は、ガイド部材は、略コ字状のガイド部と、このガイド部の略コ字状の一方の腕部を、他方の腕部に対して延長させてなる側壁部とを備えるものとした。これにより、略コ字状のガイド部を伝う水が溢れることなく流れる効果を有するとともに、側壁部を設けることによって屋根板材の強度を高めることができる。
【００１４】
請求項４に係る発明は、連結された一方の屋根板材に第１水切部を設け、他方の屋根板材に第１水切部と平行に補強金具を設けるものとし、この第１水切部と補強金具とを当接させるものとした。これにより、屋根部全体の強度を高めることができると同時に、第１水切部を伝わる水が溢れたとしても、補強金具が当接しているため、この水が筐体本体内に侵入することを防止することができる。
【００１５】
請求項５に係る発明は、屋根板材には、ガイド部材の下端が載置される搭載部を設けるものとした。これにより、組み立て時にガイド部材が筐体本体と当接して変形することを防止することができ、また屋根部全体の強度をより高めることが可能となる。
【図面の簡単な説明】
【００１６】
【図１】本実施形態の筐体本体を示す斜視図である。
【図２】本実施形態の電気機器収納用箱を示す斜視図である。
【図３】図２における正面側の拡大図である。
【図４】本実施形態の縦フレームの水平断面図である。
【図５】本実施形態の横フレームの垂直断面図である。
【図６】本実施形態の要部を示す拡大斜視図である。
【図７】本実施形態の中央屋根板材の分解図である。
【図８】本実施形態の中央屋根板材の裏面を示す斜視図である。
【図９】本実施形態の左右屋根板材の裏面を示す斜視図である。
【図１０】本実施形態における中央屋根板材と左右屋根板材との連結箇所を示す垂直断面図である。
【図１１】本実施形態における中央屋根板材と左右屋根板材との連結箇所を示す垂直断面斜視図である。
【発明を実施するための形態】
【００１７】
以下に本発明の好ましい実施形態を示す。
図１に示すように、筐体本体１は、縦フレーム２と横フレーム３とからなる枠体４を左右方向に複数配置し、さらに縦フレーム２と奥行フレーム５とからなる枠体４を前後方向に複数配置することにより構成される。なお、左右方向および前後方向とは、図１に示す方向を意味するものであり、また正面側とは前面側を意味し、背面側とは後面側を意味するものとする。各枠体４同士は、図３、図４のように隣り合う縦フレーム２同士を連結金具６によって固定することにより連結され、連結金具６の外側には覆い部７が設けられている。また、図４のように、一方の縦フレーム２と連結金具６との間には、パッキン８が設けられている。さらに、筐体本体１の正面側及び背面側を構成する枠体４の、縦フレーム２及び上部の横フレーム３には、図３乃至図５のように、縦フレーム２の水切部９ａ及び横フレーム３の水切部９ｂからなる第２水切部９が形成されており、これにより、横フレーム３の水切部９ｂを伝う水滴を、縦フレーム２の水切部９ａに沿って筐体本体１の下方へと排水可能としている。同様に、枠体４の、縦フレーム２及び上部の奥行フレーム５にも、縦フレーム２の水切部９ａ及び奥行きフレーム５の水切部９ｃからなる第２水切部９が形成されるものであり、各々の第２水切部９は枠体４の開口部４０の周縁に形成されているものである。
【００１８】
図２のように、筐体本体１の前後左右に設けられた開口部４０には各々扉部１０や側板部（正面板１１、側板１２、図示しない背面板や背面扉）が設けられており、詳しくは、筐体本体１の正面側には扉部１０および正面板１１が設けられ、左右側面側には側板１２が設けられ、また背面側には図示しない背面板または背面扉が設けられている。また、筐体本体１の底面側には図１のように底板１３が設けられており、さらに、筐体本体１がその上面に載置される基台１４が設けられており、この基台１４は設置場所への固定に用いられる。筐体本体１の天井側を遮光するために、屋根部１５が設けられており、この屋根部１５は、複数の屋根板材を連結することによって構成されるものであり、本実施形態では、中央屋根板材１６と、その左右に位置する２枚の左右屋根板材１７とにより構成するものとした。また、屋根部１５は、その上部に水が溜まらないよう、正面側から背面側にかけて傾斜させている。
【００１９】
中央屋根板材１６には、図７および図８のように、天井面１８の前後端部から下向きに折曲げた折曲辺１９と、この折曲辺１９の端部から筐体本体１の内側方向へ水平に延びる水平辺２０とが形成されている。また、天井面１８の左右端部には、後述する第１水切部２３及び左右屋根板材１７をねじ止めするための垂下辺２１ａが形成されている。左右屋根板材１７も同様に、図９のように、天井面１８の前後端部から下向きに折曲げた折曲辺１９と、この折曲辺１９の端部から筐体本体１の内側方向へ水平に延びる水平辺２０とが形成されている。また、天井面１８の左右端部においては、図１０のように、中央屋根板材１６と連結される側に垂下辺２１ｂが形成されており、他方の側は図９のように、前後端部と同様折曲辺１９及び水平辺２０が形成されている。図１０のように、垂下辺２１ａ、２１ｂとでは、左右屋根板材１７の垂下辺２１ｂの方が長く形成されており、さらに垂下辺２１ｂから左右屋根板材１７の内側方向に水平に折返した折返辺２２が形成されている。
【００２０】
図１０及び図１１のように、中央屋根板材１６と左右屋根板材１７の連結箇所の下方位置には、連結箇所に沿って両屋根板材の垂下辺２１ａ、２１ｂを略コ字状に覆うように形成された第１水切部２３が、前後方向に亘り設けられている。この第１水切部２３は、中央屋根板材１６に溶接により固定される固定部２４と、固定部２４から垂直下方向、すなわち、垂下辺２１ａ、２１ｂと平行に折曲げた垂直辺２５と、垂直辺２５から両屋根板材の垂下辺２１ａ、２１ｂの下端を覆うように、左右屋根板材１７に向けて水平に延ばした水平辺２６と、さらに水平辺２６から垂直上向きに立上げた立上辺２７とからなるものとした。また、垂下辺２１ａを左右屋根板材１７の垂下辺２１ｂと第１水切部２３との間に挟止した上で、ねじ止めするものとし、これにより中央屋根板材１６と、左右屋根板材１７と、第１水切部２３とが一体に固定されて連結される。このような構成により、中央屋根板材１６と左右屋根板材１７との連結箇所から落下する水滴の飛散を防止し、さらに垂下辺２１ｂに折返辺２２を形成することにより、より効果的に水の飛散を防止するものとした。
【００２１】
前記第１水切部２３の前後端部には、図６のようにガイド部材２８を設けるものとした。このガイド部材２８は、中央屋根板材１６及び第１水切部２３に溶接され、第１水切部２３を伝う水を、第２水切部９へと導く、詳しくは、筐体本体１の上部の横フレーム３に形成された横フレーム３の水切部９ｂへと導くものである。なお、ガイド部材２８は、縦フレーム２の水切部９ａへと水を導くものでもよく、また第１水切部２３と一体形成されたものでも良い。このような構成により、第１水切部２３を伝う水は、ガイド部材２８により、第２水切部９に導かれて筐体本体１の下方へと排水されるため、この水が飛散することがない。また、ガイド部材２８は、第１水切部２３の端部から第２水切部９に向けて傾斜させるものとして、第１水切部２３を伝う水をより確実に第２水切部９に導き、水の飛散を減少させるものとすることが好ましい。なお、ガイド部材２８を傾斜させることにより、筐体本体１の扉部１０側から見たとき、ガイド部材２８により第１水切部２３の露出を防ぎ景観を向上させるものである。ガイド部材２８は、略コ字状のガイド部２９と、ガイド部２９の略コ字状の一方の腕部を、他方の腕部に対して延長させてなる側壁部３０と、図７のように中央屋根板材１６に溶接により取付けるための取付部３１とを備えるものとして一体成型した。これにより、ガイド部２９を伝う水が溢れることなく流れる効果を有するとともに、側壁部３０を設けることによって中央屋根板材１６の強度を高めることができる。また、図７のように、中央屋根板材１６の水平辺２０には、左右方向に突出形成した搭載部３２を設けるものとし、この搭載部３２に、ガイド部材２８の下端を載置するものとした。これにより、ガイド部材２８の端部が開放端となることを防止し、組み立て時にガイド部材２８が筐体本体１と当接して変形することを防止することができ、また屋根部１５全体の強度をより高めることが可能となる。
【００２２】
なお、本実施形態では、第２水切部９を筐体本体１の正面側及び背面側に設けるものとしたが、正面側または背面側のうち少なくとも一方に設けていれば良い。また第２水切部９の構造としては、モノコック式とすることもでき、その場合でも同様に、筐体本体１の正面側または背面側のうち少なくとも一方に、筐体本体１の扉部１０や側板部（正面板１１、側板１２、図示しない背面板や背面扉）が取り付けられる開口部４０の周縁に第２水切部９を設けるものとする。
【００２３】
図８及び図９のように、中央屋根板材１６及び左右屋根板材１７の内側には、補強金具３３が複数設けられている。この補強金具３３は、各屋根板材の天井面１８の裏面及び各屋根板材の水平辺２０に固定されて、各屋根板材の強度を高めるためのものである。また、図９のように、左右屋根板材１７に設けられる補強金具３３のうち、中央屋根板材１６と連結される側の補強金具３３ａは、中央屋根板材１６に設けられた第１水切部２３と平行となるよう、前後方向に亘って設けられるものとし、図１０のように、この補強金具３３ａのうち垂直面３８を、第１水切部２３の立上辺２７と当接させるものとした。これにより、屋根部１５全体の強度を高めることができると同時に、第１水切部２３を伝わる水が溢れたとしても、補強金具３３ａの垂直面３８が当接しているため、この水が筐体本体１内に侵入することを防止することができる。また、立上辺２７と補強金具３３ａ間にはパッキン３４を介在させて、防水性能を更に高めるものとした。なお、両者をねじ固定するものであっても良いが、ねじ固定の際にパッキン３４を巻き込んでしまい、防水性能が低下する恐れがあるため、立上辺２７と補強金具３３ａ間よりも幅広なパッキン３４を圧入することがより好ましい。
【００２４】
図９のように、補強金具３３ａには、筐体本体１内の空気の循環効率を高めるために複数の通気孔３５を形成するものとし、図１１のように通気孔３５は補強金具３３ａの垂直面３８の下端側に片寄らせて形成し、垂直面３８の上端側に第１水切部２３の立上辺２７と当接するように形成し、筐体本体１の空気の循環効率を高めつつ、防水性能を高めることも可能としている。また、図８及び図９のように、筐体本体１の正面側及び背面側に配置した補強金具３３ｂには、吊上ボルト固定部３６を形成して、図２に示す吊上ボルト３７を固定可能とした。
【符号の説明】
【００２５】
１  筐体本体
２  縦フレーム
３  横フレーム
４  枠体
５  奥行フレーム
６  連結金具
７  覆い部
８  パッキン
９  第２水切部
（９ａ、９ｂ、９ｃ）水切部
１０  扉部
１１  正面板
１２  側板
１３  底板
１４  基台
１５  屋根部
１６  中央屋根板材
１７  左右屋根板材
１８  天井面
１９  折曲辺
２０  水平辺
２１（２１ａ、２１ｂ）垂下辺
２２  折返辺
２３  第１水切部
２４  固定部
２５  垂直辺
２６  水平辺
２７  立上辺
２８  ガイド部材
２９  ガイド部
３０  側壁部
３１  取付部
３２  搭載部
３３（３３ａ、３３ｂ）補強金具
３４  パッキン
３５  通気孔
３６  吊上ボルト固定部
３７  吊上ボルト
３８  垂直面
４０  開口部
【図１】
2015216816.tif 000003
【図２】
2015216816.tif 000004
【図３】
2015216816.tif 000005
【図４】
2015216816.tif 000006
【図５】
2015216816.tif 000007
【図６】
2015216816.tif 000008
【図７】
2015216816.tif 000009
【図８】
2015216816.tif 000010
【図９】
2015216816.tif 000011
【図１０】
2015216816.tif 000012
【図１１】
2015216816.tif 000013